(57)【要約】【課題】情報媒体に記載された申し込み先が２箇所ある場合でも隠蔽ハガキを使用して申し込みを行なえることができる隠蔽ハガキ付き情報媒体を提供する。【解決手段】  第１のハガキ基材部と第１の隠蔽基材部と第２のハガキ基材部と第２の隠蔽基材部と情報基材部とを有する第１のシート状基材と、第１の接着層と、第２の接着層と、第３の接着層と、第４の接着層と、第３のハガキ基材部と、前記第３のハガキ基材部の下辺側に連接され、前記第２の接着層によって前記第１の隠蔽基材部に接着される第１の保護基材部と、前記第２の接着層によって前記第２のハガキ基材部に接着され、前記第２の接着層により接着される面とは反対側の面に秘匿情報を記載する秘匿情報欄を有する第４のハガキ基材部と、前記第４のハガキ基材部の下辺側に連接され、前記第４の接着層によって前記第２の隠蔽基材部に接着される第２の保護基材部とを有する第２のシート状基材とを備える。【選択図】        図１
2009297899.tif 000002
【特許請求の範囲】
【請求項１】
第１のハガキ基材部と、前記第１のハガキ基材部の下辺側に連接された第１の隠蔽基材部と、前記第１のハガキ基材部の横方向に切り取りミシンを介して連接された第２のハガキ基材部と、前記第２のハガキ基材部の下辺側に連接され、前記第１の隠蔽基材部の横方向に切り取りミシンを介して連接された第２の隠蔽基材部と、前記第２のハガキ基材部及び第２の隠蔽基材部の横方向に切り取りミシンを介して連接し、情報を記載する情報欄を有した情報基材部と、を有する第１のシート状基材と、
前記第１のハガキ基材部の表面に形成される第１の接着層と、
前記第１の隠蔽基材部の表面に形成され、再剥離再貼付可能な特性を有する第２の接着層と、
前記第２のハガキ基材部の表面に形成される第３の接着層と、
前記第２の隠蔽基材部の表面に形成され、再剥離再貼付可能な特性を有する第４の接着層と、
前記第１の接着層によって前記第１のハガキ基材部に接着され、前記第１の接着層により接着される面とは反対側の面に秘匿情報を記載する秘匿情報欄を有する第３のハガキ基材部と、前記第３のハガキ基材部の下辺側に連接され、前記第２の接着層によって前記第１の隠蔽基材部に接着される第１の保護基材部と、前記第２の接着層によって前記第２のハガキ基材部に接着され、前記第２の接着層により接着される面とは反対側の面に秘匿情報を記載する秘匿情報欄を有する第４のハガキ基材部と、前記第４のハガキ基材部の下辺側に連接され、前記第４の接着層によって前記第２の隠蔽基材部に接着される第２の保護基材部と、を有する第２のシート状基材と、
備えることを特徴とする隠蔽ハガキ付き情報媒体。
【発明の詳細な説明】
【技術分野】
【０００１】
本発明は、記載した事項を隠蔽することができる隠蔽ハガキを有した隠蔽ハガキ付き情報媒体に関するものである。
【背景技術】
【０００２】
従来、広告やパンフレットなどの情報媒体は、その媒体基材の端部に、広告内容などに基づいた申し込みハガキが切り取り自在に設けられていた。
しかし、このような情報媒体は、申し込みハガキに記載された個人情報などが表出した状態で郵送されてしまうため、第三者にその個人情報が見られてしまうという問題があった。
そこで、昨今では、記入した情報などを隠蔽することができる隠蔽ハガキ（例えば、特許文献１参照）が情報媒体とともに同封され、申し込みを行なう顧客の個人情報の保護に活用されている。
このように隠蔽ハガキを用いた場合、情報媒体と隠蔽ハガキとが別体となるので、顧客に対して情報媒体を送付する企業にとっては、情報媒体と隠蔽ハガキとの両方を封筒に挿入する作業が必要となり作業効率がよくなかった。
また、店舗の店先などに情報媒体を持ち去り自由に配置するときは、別体となる隠蔽ハガキも情報媒体とともに配置しなくてはならず、顧客によっては情報媒体だけを持ち帰り、隠蔽ハガキを取り忘れるなどの問題もあった。
【０００３】
上記の問題を解決するために、出願人は、既にと情報媒体と隠蔽ハガキを一体化した隠蔽ハガキ付き情報媒体について出願を行なった。（特許文献２参照）
しかしながら、先に出願を行なった発明では、申し込み先が１箇所である場合には適応できるものの、申し込み先が２箇所ある場合には、隠蔽ハガキが足りないという問題がある。
例えば、商品カタログに基づいて、商品を選んで購入商品を選択する場合に、商品のジャンルのことなる商品の注文申し込みを行なう際には、申し込み先が異なる場合がある。
このような場合には、申し込み先ごとに隠蔽ハガキを郵送することになるために、１枚の隠蔽ハガキでは足りないという問題が生じる。
【０００４】
【特許文献１】特開２００６−２１２８９２1号公報
【特許文献２】特願２００７−２７６２５８
【発明の開示】
【発明が解決しようとする課題】
【０００５】
そこで、本発明は、情報媒体と隠蔽ハガキとが別体であるために生じる問題点を解消すると共に、情報媒体に記載された申し込み先が２箇所ある場合でも隠蔽ハガキを使用して申し込みを行なえることができる隠蔽ハガキ付き情報媒体を提供する。
【課題を解決するための手段】
【０００６】
本発明の隠蔽ハガキ付き情報媒体は、第１のハガキ基材部（２１）と、前記第１のハガキ基材部（２１）の下辺側に連接された第１の隠蔽基材部（２２）と、前記第１のハガキ基材部（２１）の横方向に切り取りミシンを介して連接された第２のハガキ基材部（２３）と、前記第２のハガキ基材部（２３）の下辺側に連接され、前記第１の隠蔽基材部（２１）の横方向に切り取りミシンを介して連接された第２の隠蔽基材部（２４）と、前記第２のハガキ基材部（２３）及び第２の隠蔽基材部（２４）の横方向に切り取りミシンを介して連接し、情報を記載する情報欄を有した情報基材部（２５）と、を有する第１のシート状基材（２０）と、前記第１のハガキ基材部（２１）の表面に形成される第１の接着層（４０）と、前記第１の隠蔽基材部（２２）の表面に形成され、再剥離再貼付可能な特性を有する第２の接着層（５０）と、前記第２のハガキ基材部（２３）の表面に形成される第３の接着層（６０）と、前記第２の隠蔽基材部（２４）の表面に形成され、再剥離再貼付可能な特性を有する第４の接着層（７０）と、前記第１の接着層（４０）によって前記第１のハガキ基材部（２１）に接着され、前記第１の接着層（４０）により接着される面とは反対側の面に秘匿情報を記載する秘匿情報欄を有する第３のハガキ基材部（３１）と、前記第３のハガキ基材部（３１）の下辺側に連接され、前記第２の接着層（５０）によって前記第１の隠蔽基材部（２１）に接着される第１の保護基材部（３２）と、前記第２の接着層（５０）によって前記第２のハガキ基材部（２３）に接着され、前記第２の接着層（５０）により接着される面とは反対側の面に秘匿情報を記載する秘匿情報欄を有する第４のハガキ基材部（３３）と、前記第４のハガキ基材部（３３）の下辺側に連接され、前記第４の接着層（７０）によって前記第２の隠蔽基材部（２４）に接着される第２の保護基材部（３４）と、を有する第２のシート状基材（３０）と、備えることを特徴とする。
【発明の効果】
【０００７】
したがって、本発明の隠蔽ハガキ付き情報媒体は、横方向に切り取りミシンを介して、２つのハガキ基材部と情報基材部とが連接され、更に２つのハガキ基材部にそれぞれ隠蔽基材部が連接されているので、情報媒体と隠蔽ハガキとが別体であるために生じる問題点を解消することができ、また、情報媒体に記載された申し込み先が２箇所ある場合でも隠蔽ハガキを使用して申し込みを行なえるという効果がある。
【発明を実施するための最良の形態】
【０００８】
以下、本発明の実施形態に係る隠蔽ハガキ付き情報媒体を図面に基づいて詳細に説明する。
図１は、本発明の実施形態に係る隠蔽ハガキ付き情報媒体の模式図であり、図１（ａ）に情報媒体の平面図を示し、図１（ｂ）に図１（ａ）のＡ−Ａ線断面図を示し、図２には、本発明の実施形態に係る隠蔽ハガキ付き情報媒体において、第１のシート状基材から第２のシート状基材を分離させた状態を示す平面図を示す。
ここで、説明を明確にするために、図１（ａ）中の＋Ｘ方向を右側、−Ｘ方向を左側、＋Ｙ方向を上側、−Ｙ方向を下側、＋Ｚ方向（紙面より手前側）を表面側、−Ｚ方向を裏面側とする。
【０００９】
隠蔽ハガキ付き情報媒体（以下、情報媒体という）１０は、図１及び図２に示すように、２枚の隠蔽ハガキ１１ａ，１１ｂとパンフレット１２とを有しており、第１のシート状基材２０、第２のシート状基材３０、第１の接着層４０、第２の接着層５０、第３の接着層６０、第４の接着層７０を備えている。
ここで、情報媒体１０の隠蔽ハガキ１１ａは、第１のシート状基材２０に設けられた第１のハガキ基材部２１及び第１の隠蔽基材部２２と、第２のシート状基材部３０に設けられた第３のハガキ基材部３１及び第１の保護基材部３２と、第１の接着層４０と、第２の接着層５０とで構成される。
また、情報媒体１０の隠蔽ハガキ１１ｂは、第１のシート状基材２０に設けられた第２のハガキ基材部２３及び第２の隠蔽基材部２４と、第２のシート状基材部３０に設けられた第４のハガキ基材部３３及び第２の保護基材部３４と、第３の接着層６０と、第４の接着層７０とで構成される。
【００１０】
また、情報媒体１０のパンフレット１２は、第１のシート状基材２０に設けられた情報基材部２５で構成される。
本実施形態では、情報媒体１０はパンフレット１２が、通信販売の宣伝や申し込み方法の表示に使用され、隠蔽ハガキ１１ａ，１１ｂが会員登録を申し込むときに使用される。
第１のシート状基材２０は、第１のハガキ基材部２１、第１の隠蔽基材部２２、第２のハガキ基材部２３、第２の隠蔽基材部２４及び情報基材部２５が設けられ、また、第１のハガキ基材部２１と第１の隠蔽基材部２２との間に折り込み線ｆ１が設けられ、第２のハガキ基材部２３と第２の隠蔽基材部２４との間に折り込み線ｆ２が設けられている。
また、第１のハガキ基材部２１及び第１の隠蔽基材部２２と、第２のハガキ基材部２３及び第２の隠蔽基材部２４との間には、ミシン目ｍ１が設けられ、更に、第２のハガキ基材部２３及び第２の隠蔽基材部２４と、情報基材部２５との間には、ミシン目ｍ２が設けられている。
【００１１】
第１のハガキ基材部２１は、隠蔽ハガキ１１ａの本体部分を形成する部分であり、表面に剥離可能な強接着剤で形成された強接着層である第１の接着層４０が設けられ、第２のシート状基材部３０の第３のハガキ基材部３１が剥離不可能に接着される。
また、第２のハガキ基材部２３は、隠蔽ハガキ１１ｂの本体部分を形成する部分であり、表面に剥離可能な強接着剤で形成された強接着層である第２の接着層６０が設けられ、第２のシート状基材部３０の第４のハガキ基材部３３が剥離不可能に接着される。
【００１２】
第１の隠蔽基材部２２は、隠蔽ハガキ１１ａの隠蔽片を形成する部分であり、表面に再剥離再貼付可能な接着剤で形成された第２の接着層５０が設けられ、第２のシート状基材部３０の第１の保護基材部３２が剥離可能に接着される。
第１の隠蔽基材部２２は、第１の保護基材部３２を第２の接着層５０から剥離して第３のハガキ基材部３１に折り重ねられることによって、第３のハガキ基材部３１に設けられた記入欄３１ａを隠蔽することができる。
また、同様に第２のハガキ基材部２３は、隠蔽ハガキ１１ｂの隠蔽片を形成する部分であり、表面に再剥離再貼付可能な接着剤で形成された第３の接着層６０が設けられ、第２のシート状基材部３０の第２の保護基材部３４が剥離可能に接着される。
第２の隠蔽基材部２４は、第２の保護基材部３４を第４の接着層７０から剥離して第４のハガキ基材部３３に折り重ねられることによって、第４のハガキ基材部３３に設けられた記入欄３３ａを隠蔽することができる。
【００１３】
情報基材部２５は、表裏面に、通信販売の会員申し込みの詳細の情報や、広告の情報などを表示する情報欄２５ａが設けられている。
本実施形態では、情報基材部２５は、上下にわたって１本の折り込み線ｆ３が設けられており、隠蔽ハガキ１１ａ，１１ｂに設けられた２本のミシン目ｍ１，ｍ２とともに、それらが等間隔で形成されて横方向に四つ折に折り畳み可能にしている。
【００１４】
第２のシート状基材部３０は、第３のハガキ基材部３１、第１の保護基材部３２、第４のハガキ基材部３３及び第２の保護基材部３４を有した紙片であり、第３のハガキ基材部３１と第１の保護基材部３２との間に両者を切り離し自在にするミシン目ｍ３を備え、また、第４のハガキ基材部３３と第２の保護基材部３４との間に両者を切り離し自在にするミシン目ｍ４を備えている。
また、第３のハガキ基材部３１及び第１の保護基材部３２と、第４のハガキ基材部３３及び第２の保護基材部３４との間に両者を切り離し自在にするミシン目ｍ５を備えている。
【００１５】
第３のハガキ基材部３１と第４のハガキ基材部３３とは、第１のハガキ基材部２１と第２のハガキ基材部２３と略同形状に形成され、隠蔽ハガキ１１ａ，１１ｂの本体部分を形成する部分であり、第１のハガキ基材部２１と第２のハガキ基材部２３とに剥離不可能に接着される。
第３のハガキ基材部３１と第４のハガキ基材部３３には、表面の下半分の領域に通信販売の会員登録者の氏名や住所などの個人情報を記入する記入欄（秘匿情報欄）３１ａ，３３ａが設けられている。
ここで、上述の第１の隠蔽基材部２２と第２の隠蔽基材部２４とは、第３のハガキ基材部３１と第４のハガキ基材部３３に設けられたそれぞれの記入欄（秘匿情報欄）３１ａ，３３ａを隠蔽するために設けられているので、上下方向の寸法が、第３のハガキ基材部３１と第４のハガキ基材部３３の縦寸法の略二分の一に形成されている。
【００１６】
第１の保護基材部３２は、第１の隠蔽基材部２２と略同形状に形成された部分であり、第１の隠蔽基材部２２に設けられた第２の接着層５０の接着面を保護するために、第２の接着層５０の接着面に剥離可能に接着されている。
また、同様に第２の保護基材部３４は、第２の隠蔽基材部２４と略同形状に形成された部分であり、第２の隠蔽基材部２４に設けられた第４の接着層７０の接着面を保護するために、第４の接着層７０の接着面に剥離可能に接着されている。
【００１７】
強接着層である第１の接着層４０は、上述したように、第１のハガキ基材部２１の表面に形成され、第１のハガキ基材部２１と第３のハガキ基材部３１とを剥離不可能に接着する接着剤である。
また、同様に第２の接着層６０は、上述したように、第２のハガキ基材部２３の表面に形成され、第２のハガキ基材部２３と第４のハガキ基材部３３とを剥離不可能に接着する接着剤である。
【００１８】
第２の接着層５０は、第１の隠蔽基材部２２の表面に形成され、第１の隠蔽基材部２２と第１の保護基材部３２とを剥離可能に接着し、また、第１の隠蔽基材部２２を第３のハガキ基材部３１の記入欄３１ａ上に再剥離可能に貼付することができる再剥離再貼付可能に貼付することができる再剥離再貼付可能な接着剤である。
また、同様に第４の接着層７０は、第２の隠蔽基材部２４の表面に形成され、第２の隠蔽基材部２４と第２の保護基材部３４とを剥離可能に接着し、また、第２の隠蔽基材部２４を第４のハガキ基材部３３の記入欄３３ａ上に再剥離可能に貼付することができる再剥離再貼付可能に貼付することができる再剥離再貼付可能な接着剤である。
【００１９】
なお、第１のシート状基材２０及び第２のシート状基材部３０は、情報媒体１０を製造するときにおいて、上下方向に複数枚連接しており、その連接した各シート状基材が製造装置に対して連続した搬送されるように、各シート状基材に製造装置の基材搬送用の送りピンに対応したパンチ孔が形成されたマージナルパンチ部２０ａ，３０ａが設けられている。
具体的には、第１のシート状基材２０には、その両端部にミシン目ｍ５を介してマージナルパンチ部２０ａが設けられ、第２のシート状基材部３０には、その右端部にミシン目ｍ６を介してマージナルパンチ部３０ａが設けられている。
このマージナルパンチ部２０ａ，３０ａは、情報媒体１０の製造過程で必要とされるものであり、製造後（商品として使用される前まで）にミシン目ｍ５，ｍ６で情報媒体１０から切り離される。
【００２０】
次に、情報媒体１０の使用方法について説明する。
図３は、情報媒体１０の使用方法について説明する図である。
顧客は、コンビニエンスストアなどの店先に持ち去り自由に配置された情報媒体１０を持ち帰り、第１のシート状基材２０の情報基材部２５の表裏面に記載された情報欄２５ａを見て通信販売の会員申し込みの詳細の情報を確認する。
このとき、情報媒体１０は、２枚の隠蔽ハガキ１１ａ，１１ｂとパンフレット１２とが一体になっているので、顧客が情報媒体１０を持ち帰るときに、隠蔽ハガキ１１ａ，１１ｂのみ取り忘れてしまうようなことを防止することができる。
次に会員登録の申し込みをするときに、顧客は、図２（ａ）に示すように、２枚の隠蔽ハガキ１１ａ，１１ｂのそれぞれの記入欄３１ａ，３３ａに必要事項を記入し、２枚の隠蔽ハガキ１１ａ，１１ｂを情報基材部２５からミシン目ｍ１，ｍ５とミシン目ｍ２とから切り離す。（矢印Ａ，Ｂ）
【００２１】
そして、まず１枚目の隠蔽ハガキ１１ａの保護基材部３２を隠蔽基材部２２から剥離して（矢印Ｃ）、ミシン目ｍ３で切り離す。
保護基材部３２が切り離された隠蔽ハガキ１１ａは、図３（ｂ）に示すように、隠蔽基材部２２の表面に設けられた第２の接着層５０が表出する。
顧客は、折り込み線ｆ１を介して隠蔽基材部２２を第３のハガキ基材部３１に折り重ね（矢印Ｄ）、再剥離再貼付可能な接着剤で形成された第２の接着層５０で剥離可能に接着し、記入欄３１ａを隠蔽する。
これにより、隠蔽ハガキ１１ａは、隠蔽基材部２２を第３のハガキ基材部３１に接着することにより、図３（ｃ）及び図４に示すように、ハガキの形態となり、顧客は、この隠蔽ハガキをポストに投函して通信販売業者に送付する。
通信販売業者は、隠蔽ハガキ１１ａを受け取ったら、隠蔽ハガキ１１ａの隠蔽基材部２２を剥離して、隠蔽された記入欄３１ａを見開き、顧客情報の会員登録を行なう。
【００２２】
また、２枚目の隠蔽ハガキ１１ｂについても、１枚目の隠蔽ハガキ１１ａで説明したのと同様の使用方法により利用するものであるが、本発明では、２枚の隠蔽ハガキ１１ａ，１１ｂとパンフレット１２とを有していることで、会員登録先が２箇所ある場合でも２枚の隠蔽ハガキ１１ａ，１１ｂを使用して申し込みを行なうことができる。
また、２枚の隠蔽ハガキ１１ａ，１１ｂのうち、１枚の隠蔽ハガキ１１ａを会員登録用として使用し、他の隠蔽ハガキ１１ｂを通信販売の商品の申し込み用のハガキなどとして利用することもできるようにしてある。
【００２３】
以上のように、本実施形態の情報媒体１０は、２枚の隠蔽ハガキ１１ａ，１１ｂとパンフレット１２とが一体に構成され、しかも、隠蔽ハガキ１１ａ，１１ｂの記載情報を隠蔽させた状態で郵送することができるので、顧客にとって、個人情報が不正に第三者に知られることなく安心して使用でき、２枚の隠蔽ハガキ１１ａ，１１ｂを使用して種々の申し込みや連絡を行なうことができる。
【図面の簡単な説明】
【００２４】
【図１】本発明の実施形態に係る隠蔽ハガキ付き情報媒体の模式図であり、図１（ａ）は情報媒体の平面図、図１（ｂ）は図１（ａ）のＡ−Ａ線断面図である。
【図２】本発明の実施形態に係る隠蔽ハガキ付き情報媒体において、第１のシート状基材から第２のシート状基材を分離させた状態を示す平面図である。
【図３】本発明の実施形態に係る隠蔽ハガキ付き情報媒体の使用方法について説明する図である。
【図４】図３（ｃ）のＢ−Ｂ線断面図である。
【符号の説明】
【００２５】
１０  隠蔽ハガキ付き情報媒体
１１ａ，１１ｂ  隠蔽ハガキ
１２  パンフレット
２０  第１のシート状基材
２０ａ，３０ａ  マージナルパンチ部
２１  第１のハガキ基材部
２２  第１の隠蔽基材部
２３  第２のハガキ基材部
２４  第２の隠蔽基材部
２５  情報基材部
３０  第２のシート状基材
３１  第３のハガキ基材部
３２  第１の保護基材部
３３  第４のハガキ基材部
３１ａ，３３ａ  記入欄
３４  第２の保護基材部
４０  第１の接着層
５０  第２の接着層
６０  第３の接着層
７０  第４の接着層
【図１】
2009297899.tif 000003
【図２】
2009297899.tif 000004
【図３】
2009297899.tif 000005
【図４】
2009297899.tif 000006